(57)【要約】【課題】日光が法枠によって遮られ、格子内に局部的に影が生じることを防止し、格子の隅々まで均一に日光を照射して格子内全体で植生をムラなく成長させ斜面全体での均一な植生の繁茂を図るとともに別途面倒な作業を行わずに格子内の余剰水の排水を実現することができる法枠用型枠を提供する。【解決手段】縦線８と横線９が交差する側枠６ａ、６ｂの一対を対向状態でスペーサ７により連結し、地山斜面に対して縦枠と横枠を形成すべく格子状に設置される法枠用型枠において、横枠を構成する一対の側枠６ａ、６ｂは、少なくとも谷側の側枠６ｂが地山斜面に対し、直角よりも山側に傾斜して設置可能とした。【選択図】　　　　図９
2004003233.tif 000002
【特許請求の範囲】
【請求項１】
縦線と横線が交差する側枠の一対を対向状態でスペーサにより連結し、地山斜面に対して縦枠と横枠を形成すべく格子状に設置される法枠用型枠において、
前記横枠を構成する一対の側枠は、少なくとも谷側の側枠が地山斜面に対し、直角よりも山側に傾斜して設置可能であることを特徴とする法枠用型枠。
【請求項２】
前記横枠を形成する一対の側枠は、山側の側枠が地山斜面に対し直角よりも谷側に傾斜して設置可能であることを特徴とする請求項１に記載の法枠用型枠。
【請求項３】
前記横枠を構成する一対の側枠は、それぞれの上端側が相手側に傾倒し、端面視略ハ字状にスペーサにより連結されていることを特徴とする請求項１又は２に記載の法枠用型枠。
【請求項４】
前記横枠を構成する一対の側枠は、その両側端部が前記縦枠を構成する一対の側枠に係止可能な形状としたことを特徴とする請求項１から３のいずれか一項に記載の法枠用型枠。
【請求項５】
前記スペーサは、連結すべき一対の側枠に対し４ヵ所の連結部を有し、少なくとも１ヵ所の連結部を未連結の状態とすることにより折畳み可能であることを特徴とする請求項１から４のいずれか一項に記載の法枠用型枠。
【請求項６】
前記一対の側枠は網状側枠であって、前記横枠における山側の網状側枠の網目が谷側の網状側枠の網目より粗いことを特徴とする請求項１から５のいずれか一項に記載の法枠用型枠。
【請求項７】
前記スペーサは、連結すべき一対の側枠に対し４ヵ所の連結部を有する略井桁状又はＸ状であって、各連結部は側枠を回動自在に保持するリング状であり、少なくとも１ヵ所の連結部は長孔状のリング形状であって、両側枠をハ字状に広げた状態と平行な状態との間を移動可能としたことを特徴とする請求項１から４のいずれか一項に記載の法枠用型枠。
【請求項８】
縦枠と横枠からなる格子状法枠において、少なくとも横枠を構成する一対の側枠の少なくとも谷側の側枠を、地山斜面に対し直角より山側に傾斜させて設置し、これら一対の側枠内にモルタル又はコンクリートを打設して形成したことを特徴とする格子状法枠。
【発明の詳細な説明】
【０００１】
【発明の属する技術分野】
本発明は、斜面安定化用の法枠を形成するための法枠用型枠とそれを用いた格子状法枠に関する。
【０００２】
【従来の技術】
斜面を安定化するために法枠工が用いられている。これは、地山斜面に格子状の法枠用型枠を設置し、この型枠内にコンクリート（又はモルタル）を現場で打設するものである。このような法枠工においては、法面の安定性を確保するとともに、できる限り周辺の環境との調和を図ることが要求される。このため格子内を植生工による緑化が図られている。
【０００３】
法枠用型枠は、左右一対の網状側枠と、これらを連結するスペーサから構成される。網状側枠は例えば縦線と横線を織り込んだクリンプ金網等からなる。スペーサは上下の縦棒と横棒を結合して井桁状やＸ状に形成され、網状側枠２の長手方向に沿って所定間隔ごとに複数個設けられる。スペーサは網状側枠に対し回動可能に取付けられる。これにより、網状側枠を重ねて折り畳み可能となり、運搬作業を容易としている。
【０００４】
【発明が解決しようとする課題】
しかしながら、上記従来の法枠は矩形断面形状であり、したがって、その法枠用型枠も矩形断面形状であり、井桁状スペーサの場合は、上下の各横棒が同じ長さで、また、Ｘ状スペーサの場合は、２本の交差する棒が等しい長さで網状側枠を平行に連結していた。このような法枠用型枠を用いて形成した断面が矩形の法枠は、以下のような問題が生じていた。
【０００５】
図２５は従来の法枠が施工された地山斜面の概略図である。
格子状の法枠５１は縦枠５２及び横枠５３がともに矩形断面形状であり、その側面が法面から直角に設置される。このため、日中斜め上から例えば矢印Ｓ方向から日光が照射されると、図示したように、横枠５３の下側及び縦枠５２の左右一方の側に影５４（斜線）が生じる。この影５４が生じると法枠全体として見栄えが悪くなり、景観者に対し違和感を与え、斜面を含む周囲全体の景観を低下させていた。この場合、特に横枠の影は一日中常にその下側に生じるため（縦枠は日光の移動で影が左右に移る）、以下のような問題がさらに生じる。
【０００６】
図２６は従来の法枠が施工された地山斜面の断面図である。
図示したように、法枠の格子内は緑化促進のため養分の富んだ客土５５が盛られ、植栽５６が植え込まれる。上述したように矢印Ｓ方向から日光が照射されると、格子内に横枠５３による影５４が生じるため、この影５４が生じる客土５５に植えられた植栽５６の成長が阻害され、格子内での緑化が不均一になる。このような植栽５６の成長の違いから法枠全体としての景観が損なわれ、見栄えが悪かった。また、周辺の環境との調和がとれなかった。さらに以下のような問題もあった。
【０００７】
図２７は従来の法枠が施工された地山斜面の断面図である。
図示したように、従来は、横枠５３を挿通する塩ビ管等からなる連通孔５７を設けることにより、格子内の余剰水を矢印方向に流して排水し、客土の腐敗を防止していた。このため、連通孔５７の設置のための作業工程が必要となり、面倒であった。また、配筋のために塩ビ管を地山表面よりある程度の高さの位置に設けなければならないため、格子内の余剰水を完全に排水することが困難であった。したがって格子内の客土が腐敗し、格子内の健全な植生を図れないおそれがあった。
【０００８】
このような連通孔による排水手段の他に、横枠の上側（山側）にコンクリート（又はモルタル）等により余剰水が流れるような水切り台を設けて格子内の余剰水を排水を確保する方法がある。しかしこの方法は法枠施工とは別にコンクリート吹付け作業を行わなければならず、作業が面倒であった。
【０００９】
本発明は上記従来技術を考慮したものであって、日光が法枠によって遮られ、格子内に局部的に影が生じることを防止し、格子の隅々まで均一に日光を照射して格子内全体で植生をムラなく成長させ斜面全体での均一な植生の繁茂を図ること、さらに別途面倒な作業を行わずに格子内の余剰水の排水を実現することができる法枠用型枠の提供を目的とする。
【００１０】
【課題を解決するための手段】
前記目的を達成するため、本発明では、縦線と横線が交差する側枠の一対を対向状態でスペーサにより連結し、地山斜面に対して縦枠と横枠を形成すべく格子状に設置される法枠用型枠において、前記横枠を構成する一対の側枠は、少なくとも谷側の側枠が地山斜面に対し、直角よりも山側に傾斜して設置可能であることを特徴とする法枠用型枠を提供する。
【００１１】
この構成によれば、少なくとも、日光の影響を最も大きく受ける格子状法枠の横枠を形成するための谷側の側枠を、地山斜面に対し、直角より山側に傾斜して設置可能としたので、法枠による影の発生が少なくなり、格子内に日光が照射される量が増え、局部的な影による違和感も少なくなるとともに、植生への影響も少なくなるので、法枠全体としての見栄えも良くなり、優れた景観を得ることができる。
【００１２】
好ましい構成例では、前記横枠を形成する一対の側枠は、山側の側枠が地山斜面に対し直角よりも谷側に傾斜して設置可能であることを特徴としている。
【００１３】
この構成によれば、横枠谷側の側面を傾斜させるとともに、横枠の山側の側面を地山斜面に対し直角から谷側に傾斜させて両側が傾斜した台形の形状となるため、横枠山側の側面が水平に近くなり、景観向上の効果とともにさらに余剰水が円滑に排水されるという効果が得られる。
【００１４】
さらに好ましい構成例では、前記横枠を構成する一対の側枠は、それぞれの上端側が相手側に傾倒し、端面視略ハ字状にスペーサにより連結されていることを特徴としている。
【００１５】
この構成によれば、スペーサにより連結された側枠が略ハ字状の台形を形成するため、上記台形の横枠による景観向上、植生繁茂及び排水性向上の効果が得られる。
【００１６】
さらに好ましい構成例では、前記横枠を構成する一対の側枠は、その両側端部が前記縦枠を構成する一対の側枠に係止可能な形状としたことを特徴としている。
【００１７】
この構成によれば、縦枠が矩形断面及び台形断面のいずれであっても、その形状に合わせて横枠の側枠端部を係止可能とするため、縦枠と横枠の交差部で縦と横の側枠同士が隙間なく確実に連結される。
【００１８】
さらに好ましい構成例では、前記スペーサは、連結すべき一対の側枠に対し４ヵ所の連結部を有し、少なくとも１ヵ所の連結部を未連結の状態とすることにより折畳み可能であることを特徴としている。
【００１９】
この構成によれば、一対の対向する側枠同士の上側と下側の間隔が異なる場合に、スペーサが側枠の両方の上部に１ヵ所ずつ、両方の下部に１ヵ所ずつ計４ヵ所の連結部を有する場合に、少なくとも１ヵ所の連結部を未連結の状態とすることにより、台形断面状態で対向する側枠同士を折り畳むことができ、運搬や保管がしやすくなる。
【００２０】
さらに好ましい構成例では、前記一対の側枠は網状側枠であって、前記横枠における山側の網状側枠の網目が谷側の網状側枠の網目より粗いことを特徴としている。
【００２１】
この構成によれば、横枠の山側の網状側枠の縦線と横線による網目の大きさをコンクリート（又はモルタル）が入り込むくらいの粗さとし、谷側の網状側枠の網目をコンクリートが漏れない程度の大きさとすることにより、山側の網状側枠の外側から型枠内にコンクリートを打設可能であるので、法枠用型枠内に確実にコンクリートを充填することができる。すなわち、下側が広がった台形状の横枠の場合、上側の型枠開口部から型枠内にコンクリートを充填しようとすれば、型枠内の山側の隅部にコンクリートが充分行き届かず、巣が発生する。本発明によれば、山側の網状側枠の外側からこの側枠の網目を通して型枠内にコンクリートを打設することができるので、型枠内の山側の隅部にコンクリートを確実に充填できる。
【００２２】
別の好ましい構成例では、前記スペーサは、連結すべき一対の側枠に対し４ヵ所の連結部を有する略井桁状又はＸ状であって、各連結部は側枠を回動自在に保持するリング状であり、少なくとも１ヵ所の連結部は長孔状のリング形状であって、両側枠をハ字状に広げた状態と平行な状態との間を移動可能としたことを特徴としている。
【００２３】
この構成によれば、型枠設置時には側枠をハ字状に広げて台形断面の法枠を形成することができ、設置前に現場まで搬送するときには、側枠を平行状態にして重ね合わせて折畳むことができる。この場合、両方の側枠をハ字状と平行状態との間で移動可能とするために長孔リング状の連結部を形成しているため、側枠とスペーサとを外したり取付け直したりする必要がなく、長孔リング内で移動させるたけで平行状態からハ字状に及びその逆に移動させることができ、搬送時や現場での設置時に組立て作業が容易にできる。
【００２４】
本発明ではさらに、縦枠と横枠からなる格子状法枠において、少なくとも横枠を構成する一対の側枠の少なくとも谷側の側枠を、地山斜面に対し直角より山側に傾斜させて設置し、これら一対の側枠内にモルタル又はコンクリートを打設して形成したことを特徴とする格子状法枠を提供する。
【００２５】
この構成によれば、少なくとも、日光の影響を最も大きく受ける格子状法枠の横枠の谷側の側面を、地山斜面に対し、直角より山側に傾斜して形成したので、法枠による影の発生が少なくなり、格子内に日光が照射される量が増え、局部的な影による違和感も少なくなるとともに、植生への影響も少なくなるので、法枠全体としての見栄えも良くなり、優れた景観を得ることができる。
【００２６】
さらに具体的に本発明の構成を説明すると、本発明では、縦線と横線が交差する一対の網状側枠をスペーサで連結し、前記スペーサは左右の縦棒と上下の横棒で略井桁状に形成され、縦枠と横枠からなる格子状の法枠用型枠において、前記スペーサの下側の横棒の長さが上側の横棒より長いことを特徴とする法枠用型枠を提供する。
【００２７】
この構成によれば、スペーサの下側の横棒が上側の横棒より長いため、両側の網状側枠は下方が広がったハ字形状の状態で連結される。このため、この法枠用型枠を使用した法枠の断面が台形となる。このように法枠を台形断面形状とすることにより、法枠の影の発生がなくなり、格子内が万遍なく日光で照射され局部的な影による違和感がなくなる。これにより、法枠全体としての見栄えがよくなり、優れた景観を得ることができる。また、これにより格子内の植栽の成長を充分にかつ均一に促進することができる。また、法枠は下辺側が長い台形形状であるため、格子面積（格子区画内に露出する地山の面積）が減少する。このため、必要な客土の量や植栽数も減少し、コストを抑えることができる。さらに、横枠の上側（山側）の側面が水平に近くなるので、格子内の余剰水が速やかに横枠上を通って排水される。これにより、格子内の土壌腐敗を防ぐことができ、充分な植栽の成長を確保することができる。
【００２８】
好ましい構成例では、前記網状側枠の上縁の横線の長さは下縁の横線の長さより長いことと特徴としている。
【００２９】
この構成によれば、法枠用型枠の縦枠と横枠がともに台形断面形状の場合、縦枠と横枠の交差部でこれらを連結する際のつなぎめに隙間が生じることなく、確実に連結することができる。
【００３０】
別の好ましい構成例では、前記スペーサの上側の横棒が両側の網状側枠間を連結して組立てられる前の状態で、下側の横棒のみにより連結された状態の両側の網状側枠が折畳み可能であることを特徴としている。
【００３１】
この構成によれば、一対の網状側枠を１本の横棒で保持することになるので網状側枠を重ねることが可能となる。これにより、搬送や保管のための省スペース化を図ることができる。
【００３２】
【発明の実施の形態】
以下図面を参照して本発明の実施の形態について説明する。
図１は本発明に係る法枠用型枠を用いて形成された法枠の概略図であり、図２は図１の拡大図であり、図３、図４は図２のＡ−Ａ断面図である。
【００３３】
図１、図２に示すように、法枠１は縦枠２と横枠３が交差して格子状に形成される。この法枠１は断面が台形形状であるため、縦枠２、横枠３の側面は根元が広がるようなテーパー形状を有している。これにより、例えば日光が矢印Ｓ方向から照射されたとしても従来影が発生していた位置（図２５の斜線部）を法枠１の側面がカバーすることになる。したがって格子内に局部的に影が生じることを防止することができ、法枠全体として見栄えがよくなり、優れた景観を得ることができる。
【００３４】
なお、横枠３の断面形状について、図２に示すような台形に限らず、
▲１▼山側の側枠も谷側の側枠と同様に斜面直角より山側に（上向に）傾斜させて平行四辺形又は菱形の形状としたり、
▲２▼山側の側枠の面積を小さくして（すなわち、山側の斜辺の長さを短くして）、この山側の側枠を斜面直角より山側（上向き）に傾斜させた不等辺四辺形の形状としたり、
▲３▼上記▲２▼と同様に山側の側枠を谷側の側枠より面積を小さくし、斜面直角より谷側（下向き）に傾斜させた台形に近い不等辺四辺形の形状であってもよい。
【００３５】
図３に示すように、上述したように日光は例えば矢印Ｓ方向から格子内に盛られた客土４全体に照射される。したがって、客土４に植え込まれた植栽５の全てに対して均等に日光が照射されることになり、格子内の植栽５が充分に均等に成長するので法枠全体としての優れた景観を得ることができる。また、台形法枠の下辺側が長くなって底面が従来よりも広がった分、格子内面積が減少するので、格子内に必要な客土の量や、植栽数も減少し、コストの低減を図ることができる。
【００３６】
図４に示すように、横枠３の断面の山側も谷側に傾斜させて台形形状を有するので、法面に設置した場合に横枠３の山側の側面は水平に近くなる。このため、格子内に溜まった余剰水は矢印に示すように横枠３上を流れる。これにより、格子内の余剰水を十分に排水することが可能となり、客土４の腐敗を防止し、健全な植生の成長を図ることができる。
【００３７】
図５は本発明に係る横枠の法枠用型枠の断面図であり、図６は縦枠の法枠用型枠の断面図、図７は横枠山側の網状側枠の側面図であり、図８は横枠谷側の網状側枠及び縦枠の網状側枠の側面図である。この図５〜図８の実施形態の法枠は、前述の図１、図２に示したように縦枠及び横枠がともに台形断面でその断面積が比較的小さい形態の法枠である。
【００３８】
本発明に係る法枠用型枠は、左右一対の網状側枠６と、これらを連結するスペーサ７から構成される。各網状側枠６は、この例では縦線８及び横線９を格子状に織り込んだクリンプ金網からなる。なお、この網状側枠６はエキスパンドメタル、パンチングメタル等の有孔板を用いてもよい。スペーサ７は、上下の横棒１０ａ、１０ｂ及び左右の縦棒１１を結合して略井桁状に形成したものであり、網状側枠６の長手方向に沿って所定間隔ごとに複数個設けられる。なお、スペーサ７は、Ｘ状に形成したものを用いてもよい。
【００３９】
本実施形態の法枠は、比較的小型の台形断面形状の法枠であり、例えば図５で台形の上辺ａが１５０ｍｍ、下辺ｂが２５０ｍｍ、高さｃが１５０ｍｍである。上記下辺ｂ寸法は、同じ設計強度の矩形断面の法枠に比べ長い。また、鉄筋は１本の上鉄筋１４と２本の下鉄筋１３の合計３本である。これらの鉄筋は十分なコンクリートのかぶり厚が得られる位置に配筋されスペーサ７に結束される。
【００４０】
スペーサ７は、上記台形を形成する左右の網状側枠６ａ、６ｂ同士がコンクリート充填時に押し開かれないような位置に横棒１０ａ、１０ｂを設ける。下側の横棒１０ｂは、所定の設定強度断面積を有する下広がりの台形に合わせて上側の横棒１０ａより長く形成される。スペーサ７の縦棒１１は、左右の網状側枠６に合わせて下広がりのハ字状に配置され上下各横棒１０ａ、１０ｂに溶接接合される。
【００４１】
格子状法枠の縦枠及び横枠がともに台形断面であるため、その交差部で縦枠及び横枠の網状側枠の端部同士を隙間なく整合して結合するために各縦枠及び横枠の網状側枠の両端部は図７、図８に示すように下が狭くなる逆台形形状となるように傾斜している。このため、両端部近傍の縦線８が短くなって横線９から脱落しやすくなる。これを防止するために両端部に斜め縦線１５を設け適当な位置で数ヶ所横線９に溶接する。これにより、網状側枠の端部が補強されるとともに端部近傍の短い縦線が抜け落ちなくなる。
【００４２】
図５、図６に示すように、スペーサ７の上の横棒１０ａの一方の端部はフック形状に形成される。このフック１２は網状側枠が組立てられる前は外されている。横棒１０ａの他方の端部と下の横棒１０ｂの両端部は網状側枠６に対し回動可能に取り付けられる。したがって、組立て前の両方の網状側枠６は横棒１０ｂのみによって連結されているので、重ねて折り畳むことができる。これにより、法枠用型枠の保管や運搬のための省スペース化を図ることができる。また、現場において網状側枠６をスペーサ７により連結する時はフック１２を網状側枠６に引掛けるだけなので容易に組立てることができる。
【００４３】
図７、図８に示すように、横枠の山側（上側）に使用される網状側枠６ａの縦線８と横線９による網目は、横枠の谷側（下側）に使用される網状側枠６ｂの網目より粗い。すなわち、山側の網状側枠６ａの網目はコンクリート（又はモルタル）が入り込むくらいのメッシュ間隔とし、谷側の網状側枠６ｂの網目はコンクリートが漏れない程度のメッシュ間隔とする。これにより、網状側枠６ａの外側からコンクリートを法枠用型枠内に充填できるので、横枠内の山側の隅部まで密実なコンクリートの打設を実現できる。
【００４４】
図９〜図１２は本発明の法枠用型枠の別の形状例を示す。図９は横枠用型枠の断面図であり、図１０は縦枠用型枠の断面図、図１１は横枠に使用する山側の網状側枠の側面図であり、図１２は横枠に使用する谷側の網状側枠及び縦枠の網状側枠の側面図である。
【００４５】
本実施形態の法枠は、比較的大型の台形断面形状の法枠であり、例えば図９で台形の上辺ａが２５０ｍｍ、下辺ｂが３５０ｍｍ、高さｃが２５０ｍｍである。上記下辺ｂ寸法は、同じ設計強度の矩形断面の法枠に比べ長い。また、鉄筋は２本の上鉄筋１４と２本の下鉄筋１３の合計４本である。これらの鉄筋は十分なコンクリートのかぶり厚が得られる位置に配筋されスペーサ７に結束される。その他の構成及び作用効果は上述の図５〜８と同様である。
【００４６】
図１３は横枠のみが台形断面で縦枠は矩形断面の格子状法枠の概略図である。図示したように、横枠３に上述した断面台形状の型枠を用い、縦枠１６は断面矩形の法枠用型枠を用いて、法枠１を形成する。この場合、縦枠１６による影が格子内に発生することが懸念されるが、縦枠１６による影は太陽の移動とともに横方向に移動するため、格子内の植栽の成長に対する影響が少ない。したがって、このような構成としても、上述した効果が期待できる。
【００４７】
この場合、台形横枠３に関し、谷側の側面のみを地山斜面に対し直角から山側に傾斜させ、山側の側面は地山斜面に対し直角とした片側台形の形状としてもよい。このような片側台形の横枠であっても、上からの太陽光による影の発生を防止して景観を向上させる効果が得られる。このように横枠の谷側の側枠を地山斜面に対し直角よりも山側に傾斜させるとともに、横枠３の山側の側面を地山斜面に対し直角から谷側に傾斜させて図１３のように両側台形の形状とすれば、景観向上の効果とともにさらに余剰水が円滑に排水されるという効果（図４参照）が得られる。
【００４８】
図１４は上記図１３における法枠の横枠用型枠の断面図であり、図１５は横枠に使用する山側の網状側枠の側面図であり、図１６は横枠に使用する谷側の網状側枠及び縦枠の網状側枠の側面図である。
【００４９】
本実施例は、前述の図５と同様に比較的小断面積の台形法枠の形状例を示す。図１５、１６に示すように、横枠に使用する両方の網状側枠６ａ、６ｂの横線９は全て同じ長さで両端が縦に真直ぐに形成される。これは、縦枠１６（図１３）が断面矩形であるため、横枠との交差部では縦枠及び横枠ともに縦に真直ぐな端部として両者を隙間なく整合させて結合するためである。これにより、縦枠と横枠を確実に連結することができる。その他の構成及び作用効果は前述の図５の実施形態と同様である。
【００５０】
図１７は前述の図１３における別の横枠用型枠の断面図であり、図１８は横枠に使用する山側の網状側枠の側面図であり、図１９は横枠に使用する谷側の網状側枠及び縦枠の網状側枠の側面図である。
【００５１】
本実施例は、前述の図９と同様に比較的断面積の大きい台形法枠の形状例を示す。その他の構成及び作用効果は上述した図１４〜図１６の例と同様である。
【００５２】
図２０は本発明のさらに別の実施形態の型枠断面図である。
この例はスペーサ７の上の横棒１０ａの途中（この例では中央部）に開口１７を設けたものである。これにより、型枠設置の時に、下鉄筋１３を開口１７を通して上から配筋できる。上側の横棒１０ａの一端部を前述の実施例と同様にフック状にし、網状側枠６ａに対し係止離脱可能とすることにより折畳み可能な型枠を構成してもよい。その他の構成及び作用効果は前記実施形態と同様である。
【００５３】
図２１は本発明のさらに別の実施形態の型枠断面図である。（Ａ）は型枠設置時、（Ｂ）は搬送時の折畳み前の状態を示す。
この実施形態の型枠は、一対の網状側枠１８ａ，１８ｂを井桁状のスペーサ１９で連結したものである。スペーサ１９は、上下２本の横棒２０ａ，２０ｂと２本の縦棒２１とにより構成される。上の横棒２０ａの両端部には、リング２２が形成され、各網状側枠１８ａ，１８ｂの縦線に回動自在に連結される。下の横棒２０ｂの両端部には、長孔リング２３が形成され各網状側枠１８ａ，１８ｂの縦線が長孔に沿って横にスライド可能に挿通する。なお、リング２２は、網状側枠の縦線を囲むようにスペーサの横棒端部を曲げて形成することができ、網状側枠の縦線に対し外れないように且つ遊びをもって回動自在に連結される。長孔リング２３についても同様に下の横棒を折り返すように曲げて、網状側枠の縦線が外れないように囲んで形成することができる。
【００５４】
型枠設置時には、（Ａ）に示すように、両方の網状側枠１８ａ，１８ｂを長孔リング２３に沿って外側端部まで一杯に移動させてハ字状に広げ、台形の型枠を形成する。これにより、コンクリートを打設して台形の法枠が形成される。
現場までの運搬時には、（Ｂ）に示すように、両方の網状側枠１８ａ，１８ｂを長孔リング２３に沿って内側に移動させて網状側枠１８ａ，１８ｂ同士を平行状態にする。これにより、両網状側枠１８ａ，１８ｂ同士を重ね合せて型枠を折畳むことができる。
【００５５】
図２２は本発明のさらに別の実施形態の型枠断面図である。（Ａ）は型枠設置時、（Ｂ）は搬送時の折畳み前の状態を示す。
この実施形態の型枠は、井桁状スペーサ１９の下の横棒２０ｂの一端部のみに長孔リング２３を形成し、他の連結部は回動可能な小さいリング２２を形成したものである。
【００５６】
型枠設置時には、（Ａ）に示すように、網状側枠１８ｂを長孔リング２３に沿って外側端部まで一杯に移動させてハ字状に広げ、台形の型枠を形成する。これにより、コンクリートを打設して台形の法枠が形成される。
【００５７】
現場までの運搬時には、（Ｂ）に示すように、網状側枠１８ｂを長孔リング２３に沿って内側に移動させて網状側枠１８ａ，１８ｂ同士を平行状態にする。これにより、両網状側枠１８ａ，１８ｂ同士を重ね合せて型枠を折畳むことができる。
【００５８】
図２３は本発明のさらに別の実施形態の型枠断面図である。（Ａ）は型枠設置時、（Ｂ）は搬送時の折畳み前の状態を示す。
この実施形態の型枠は、一対の網状側枠１８ａ，１８ｂをＸ状のスペーサ２４で連結したものである。スペーサ２４は２本の棒材２５を相互にＸ状に固定したものであり、上側の端部はリング２２を介し、下側の端部は長孔リング２３を介して各網状側枠１８ａ，１８ｂの縦線に回動可能に連結される。
【００５９】
型枠設置時には、（Ａ）に示すように、両方の網状側枠１８ａ，１８ｂを長孔リング２３に沿って外側端部まで一杯に移動させてハ字状に広げ、台形の型枠を形成する。これにより、コンクリートを打設して台形の法枠が形成される。
【００６０】
現場までの運搬時には、（Ｂ）に示すように、両方の網状側枠１８ａ，１８ｂを長孔リング２３に沿って内側に移動させて網状側枠１８ａ，１８ｂ同士を平行状態にする。これにより、両網状側枠１８ａ，１８ｂ同士を重ね合せて型枠を折畳むことができる。
【００６１】
図２４は本発明のさらに別の実施形態の型枠断面図である。（Ａ）は型枠設置時、（Ｂ）は搬送時の折畳み前の状態を示す。
この実施形態の型枠は、Ｘ状スペーサ２４の一方の棒材２５の一端部のみに長孔リング２３を形成し、他の連結部は回動可能な小さいリング２２を形成したものである。
【００６２】
型枠設置時には、（Ａ）に示すように、網状側枠１８ｂを長孔リング２３に沿って外側端部まで一杯に移動させてハ字状に広げ、台形の型枠を形成する。これにより、コンクリートを打設して台形の法枠が形成される。
【００６３】
現場までの運搬時には、（Ｂ）に示すように、網状側枠１８ｂを長孔リング２３に沿って内側に移動させて網状側枠１８ａ，１８ｂ同士を平行状態にする。これにより、両網状側枠１８ａ，１８ｂ同士を重ね合せて型枠を折畳むことができる。
【００６４】
【発明の効果】
以上説明したように、本発明では、少なくとも、日光の影響を最も大きく受ける格子状法枠の横枠を形成するための谷側の側枠を、地山斜面に対し、直角より山側に傾斜して設置可能としたので、法枠による影の発生が少なくなり、格子内に日光が照射される量が増え、局部的な影による違和感も少なくなるとともに、植生への影響も少なくなるので、法枠全体としての見栄えも良くなり、優れた景観を得ることができる。
【００６５】
また、前記横枠を形成するための山側の側枠を、地山斜面に対し直角より谷側に傾斜して設置可能とした構成によれば、横枠の谷側の側枠を地山斜面に対し直角よりも山側に傾斜させるとともに、横枠の山側の側面を地山斜面に対し直角から谷側に傾斜させて横枠の両側が傾斜した台形の形状となるため、横枠山側の側面が水平に近くなり、景観向上の効果とともにさらに余剰水が円滑に排水されるという効果が得られる。
【００６６】
また、前記スペーサは、左右の縦棒と上下の横棒からなり、上縁側より下縁側が広がった略ハ字状に形成され、該スペーサにより前記横枠を形成する一対の側枠同士を連結した構成によれば、スペーサにより連結された側枠が略ハ字状の台形を形成するため、上記台形の横枠による景観向上、植生繁茂及び排水性向上の効果が得られる。
【００６７】
また、前記格子状法枠の縦枠の形状に合わせて、横枠の側枠の端部を縦枠に係止可能な形状とした構成によれば、縦枠が矩形断面及び台形断面のいずれであっても、その形状に合わせて横枠の側枠端部を係止可能とするため、縦枠と横枠の交差部で縦と横の側枠同士が隙間なく確実に連結される。
【００６８】
また、前記スペーサは、連結すべき一対の側枠に対し４ヵ所の連結部を有し、少なくとも１ヵ所の連結部を未連結の状態とすることにより折畳み可能とした構成によれば、一対の対向する側枠同士の上側と下側の間隔が異なる場合に、スペーサが側枠の両方の上部に１ヵ所ずつ、両方の下部に１ヵ所ずつ計４ヵ所の連結部を有する場合に、少なくとも１ヵ所の連結部を未連結の状態とすることにより、台形断面状態で対向する側枠同士を折り畳むことができ、運搬や保管がしやすくなる。
【００６９】
また、前記横枠の山側の網状側枠の網目が谷側の網状側枠の網目より粗くなった構成によれば、横枠の山側の網状側枠の縦線と横線による網目の大きさをコンクリート（又はモルタル）が入り込むくらいの粗さとし、谷側の網状側枠の網目をコンクリートが漏れない程度の大きさとすることにより、山側の網状側枠の外側からこの側枠の網目を通して型枠内にコンクリートを打設することができるので、型枠内の山側の隅部にコンクリートを確実に充填できる。
【００７０】
また、スペーサは、連結すべき一対の側枠に対し４ヵ所の連結部を有する略井桁状又はＸ状であって、各連結部は側枠を回動自在に保持するリング状であり、少なくとも１ヵ所の連結部は長孔状のリング形状であって、両側枠をハ字状に広げた状態と平行な状態との間を移動可能とした構成によれば、型枠設置時には側枠をハ字状に広げて台形断面の法枠を形成することができ、設置前に現場まで搬送するときには、側枠を平行状態にして重ね合わせて折畳むことができる。この場合、両方の側枠をハ字状と平行状態との間で移動可能とするために長孔リング状の連結部を形成しているため、側枠とスペーサとを外したり取付け直したりする必要がなく、長孔リング内で移動させるたけで平行状態からハ字状に及びその逆に移動させることができ、搬送時や現場での設置時に組立て作業が容易にできる。
【００７１】
また、縦枠と横枠からなる格子状法枠において、少なくとも横枠を形成するための一対の側枠のうち谷側の側枠を、地山斜面に対し直角より山側に傾斜させて設置し、この横枠形成用の側枠からなる型枠内にモルタル又はコンクリートを打設して形成した格子状法枠の構成によれば、少なくとも、日光の影響を最も大きく受ける格子状法枠の横枠の谷側の側面を、地山斜面に対し、直角より山側に傾斜して形成したので、法枠による影の発生が少なくなり、格子内に日光が照射される量が増え、局部的な影による違和感も少なくなるとともに、植生への影響も少なくなるので、法枠全体としての見栄えも良くなり、優れた景観を得ることができる。
【図面の簡単な説明】
【図１】本発明に係る法枠用型枠を用いて形成された法枠の概略図。
【図２】図１の拡大図。
【図３】図２のＡ−Ａ断面図。
【図４】図２のＡ−Ａ断面図。
【図５】本発明に係る横枠の法枠用型枠の断面図。
【図６】本発明に係る縦枠の法枠用型枠の断面図。
【図７】横枠山側の網状側枠の側面図。
【図８】横枠谷側の網状側枠及び縦枠の網状側枠の側面図。
【図９】横枠用型枠の断面図。
【図１０】縦枠用型枠の断面図。
【図１１】横枠に使用する山側の網状側枠の側面図。
【図１２】横枠に使用する谷側の網状側枠及び縦枠の網状側枠の側面図。
【図１３】横枠のみが台形断面で縦枠は矩形断面の格子状法枠の概略図。
【図１４】図１３における法枠の横枠用型枠の断面図。
【図１５】横枠に使用する山側の網状側枠の側面図。
【図１６】横枠に使用する谷側の網状側枠及び縦枠の網状側枠の側面図。
【図１７】図１３における別の横枠用型枠の断面図。
【図１８】横枠に使用する山側の網状側枠の側面図。
【図１９】横枠に使用する谷側の網状側枠及び縦枠の網状側枠の側面図。
【図２０】本発明のさらに別の実施形態の型枠断面図。
【図２１】本発明のさらに別の実施形態の型枠断面図。
【図２２】本発明のさらに別の実施形態の型枠断面図。
【図２３】本発明のさらに別の実施形態の型枠断面図。
【図２４】本発明のさらに別の実施形態の型枠断面図。
【図２５】従来の法枠が施工された地山斜面の概略図。
【図２６】従来の法枠が施工された地山斜面の断面図。
【図２７】従来の法枠が施工された地山斜面の断面図。
【符号の説明】
１：法枠、２：縦枠、３：横枠、４：客土、５：植栽、
６：網状側枠、７：スペーサ、８：縦線、９：横線、
１０ａ，１０ｂ：横棒、１１：縦棒、１２：フック、１３：下鉄筋、
１４：上鉄筋、１５：補強材、１６：縦枠、１７：開口、
１８ａ，１８ｂ：網状型枠、１９：スペーサ、２０ａ，２０ｂ：横棒、
２１：縦棒、２２：リング、２３：長孔リング、２４：スペーサ、
２５：棒材。
【図１】
2004003233.tif 000003
【図２】
2004003233.tif 000004
【図３】
2004003233.tif 000005
【図４】
2004003233.tif 000006
【図５】
2004003233.tif 000007
【図６】
2004003233.tif 000008
【図７】
2004003233.tif 000009
【図８】
2004003233.tif 000010
【図９】
2004003233.tif 000011
【図１０】
2004003233.tif 000012
【図１１】
2004003233.tif 000013
【図１２】
2004003233.tif 000014
【図１３】
2004003233.tif 000015
【図１４】
2004003233.tif 000016
【図１５】
2004003233.tif 000017
【図１６】
2004003233.tif 000018
【図１７】
2004003233.tif 000019
【図１８】
2004003233.tif 000020
【図１９】
2004003233.tif 000021
【図２０】
2004003233.tif 000022
【図２１】
2004003233.tif 000023
【図２２】
2004003233.tif 000024
【図２３】
2004003233.tif 000025
【図２４】
2004003233.tif 000026
【図２５】
2004003233.tif 000027
【図２６】
2004003233.tif 000028
【図２７】
2004003233.tif 000029